(57)【要約】【課題】プリント基板の端面からの吸湿を防ぎ、プリント基板の誘電率変動による増幅回路の特性インピーダンスの変動並びにこれによる信号の位相変動を抑えるために、プリント基板端面に防湿剤の塗布により防湿被膜を形成されたプリント基板を用いた増幅器を提供することにある。【解決手段】本発明の増幅器は、入力された信号を増幅する増幅素子と、表面領域内に切り欠き部を有し該切り欠き部に該増幅素子が埋め込み配置されたプリント基板と、該プリント基板の表面に防湿剤被膜が備えられた増幅器であって、  前記プリント基板の切り欠き部の端面を含む基板の端面に防湿剤被膜が配置されていることを特徴とする。【選択図】      図１
2005210174.tif 000002
【特許請求の範囲】
【請求項１】
入力された信号を増幅する増幅素子と、
表面領域内に切り欠き部を有し該切り欠き部に該増幅素子が埋め込み配置されたプリント基板と、
該プリント基板の表面に防湿剤被膜が備えられた増幅器であって、
前記プリント基板の切り欠き部の端面を含む基板の端面に防湿剤被膜が配置されていることを特徴とする増幅器。
【発明の詳細な説明】
【技術分野】
【０００１】
本発明は、プリント基板の２次処理としての非金属質の保護被膜を施すことに関する。
【背景技術】
【０００２】
従来技術は、高出力送信増幅器であって、基板全体が多層基板で構成され、この基板に配置された高出力増幅段の回路と基板の間に有するリアクタンス分の影響を減少させるために高出力増幅段の回路部分を２層基板にして、これを多層基板に組み込むことにより高性能を引き出すものであった。（例えば、特許文献１参照）。
【特許文献１】特開２００３−１６８９３５号公報（第３頁、図１）
【０００３】
図２に従来の増幅器のプリント基板概観図例を示す。
図２において、１は増幅器のプリント基板、１ａはプリント基板の表面、１ｂはプリント基板の端面、１ｃはプリント基板の切り欠き部の端面、２は増幅回路のパターン導体、３はパワートランジスタの放熱板、４は増幅素子であるパワートランジスタ、４ａはパワートランジスタの電極、５ａはプリント基板の表面１ａに備えられた防湿剤被膜である。
入力された信号を増幅する増幅素子であるパワートランジスタ４はプリント基板の表面１ａの領域内の切り欠き部の端面１ｃに埋め込み配置され、プリント基板１に合体されたパワートランジスタの放熱板３にネジ止めされている。パワートランジスタ４の電極４ａはプリント基板の表面１ａの増幅回路のパターン導体２に半田付け等により接続されている。
プリント基板の表面１ａには、基板表面からの吸湿を防ぐために防湿剤が塗布され形成された防湿剤被膜５ａが備えられている。この防湿剤被膜５ａによってプリント基板の表面からの吸湿を防ぐことができ、吸湿によるプリント基板固有にもつ誘電率の変動を抑えるものである。      
【０００４】
Ｗ−ＣＤＭＡ方式（広帯域符号分割多元接続方式）の移動通信システムに用いられる基地局用増幅装置に適用される広帯域高出力増幅器では２ＧＨｚのような高い無線周波数を用いて広帯域低雑音増幅させるために歪補償増幅回路がプリント基板上に構成される。
増幅回路の歪検出回路の増幅信号と遅延信号間で位相差が生じると歪補償の最適化に狂いが生じる。この信号間の位相差は、回路のインピーダンスが変動して反射など生じ、信号と反射波とが合成されると、求める信号に位相変動をきたすために起こる。このインピーダンスを変動させる要素のひとつとしてプリント基板の誘電率変動がある。取り扱う周波数が高いため、その波長が短く誘電率の変動を受け易い。プリント基板の誘電率変動は湿度などの環境変動が長期にわたり繰り返し加わることにより起こすものである。
図３はプリント基板の一般的な断面の形状である。図３において、１はプリント基板、２は増幅回路のパターン導体である。プリント基板の固有の電気的特性は、所定の温度、湿度の範囲内では仕様で定めた誘電率以下の値であり、プリント基板厚に比例した固有の吸水率を有する。
ｗは導体幅、ｔは導体厚さ、ｈは絶縁体厚さ（プリント基板絶縁体厚さ）である。
一般的なプリント基板の特性インピーダンスＺ０は次式で示され、特性インピーダンスと誘電率の関係を表わしている。
Ｉｎは自然対数であり、εｒｅはプリント基板の誘電率である。
【０００５】
【数１】
2005210174.tif 000003
【発明の開示】
【発明が解決しようとする課題】
【０００６】
プリント基板の上に形成された増幅回路の回路パターンのインピーダンスを変動させる要素のひとつとしてプリント基板の吸湿による基板の誘電率変動があり、これを防ぐ対策としてプリント基板の表面へ防湿剤被膜を備えることが一般に行われている。ところが上記広帯域高出力増幅器の歪補償増幅回路を用いた回路のような増幅回路では信号に対して高精度の位相状態に保つ必要である。この高精度の位相状態を保つためにプリント基板の端面からの吸湿によるプリント基板の誘電率の変動を抑えて増幅器特性の精度維持の点で問題があった。
【０００７】
本発明の目的は、プリント基板の端面からの吸湿を防ぎ、プリント基板の誘電率変動による増幅回路の特性インピーダンスの変動並びにこれによる信号の位相変動を抑えるために、プリント基板端面に防湿剤の塗布により防湿被膜を形成されたプリント基板を用いた増幅器を提供することにある。
【課題を解決するための手段】
【０００８】
本発明の増幅器は、入力された信号を増幅する増幅素子と、表面領域内に切り欠き部を有し該切り欠き部に該増幅素子が埋め込み配置されたプリント基板と、該プリント基板の表面に防湿剤被膜が備えられた増幅器であって、
前記プリント基板の切り欠き部の端面を含む基板の端面に防湿剤被膜が配置されていることを特徴とする。
【発明の効果】
【０００９】
本発明を実施すれば、プリント基板端面に防湿剤の塗布により防湿被膜を形成されたプリント基板を用いたことにより、プリント基板端面からの吸湿を防ぎ、プリント基板の誘電率変動による特性インピーダンス変動、信号の位相変動が抑えられ、プリント基板増幅回路に湿度などの高温、高湿のような屋内、屋外での環境変動が長期にわたり繰り返し加わっても、増幅回路の歪検出回路の増幅信号と遅延信号間で位相差が生じることがなく歪補償の最適化に狂いが生じない程度にプリント基板の誘電率変動を抑えることができ、増幅器の電気的特性は長期信頼性の高い特殊効果を発揮するものであることは明らかである。
【発明を実施するための最良の形態】
【００１０】
図１に本発明の増幅器のプリント基板概観図例を示す。
図１において、１は増幅器のプリント基板、１ａはプリント基板の表面、１ｂはプリント基板の端面、１ｃはプリント基板の切り欠き部の端面、２は増幅回路のパターン導体、３はパワートランジスタの放熱板、４は増幅素子であるパワートランジスタ、４ａはパワートランジスタの電極、５ａはプリント基板の表面１ａに施された防湿剤被膜、５ｂはプリント基板の端面１ｂに施された防湿剤被膜、５ｃはプリント基板の切り欠き部の端面１ｃに施された防湿剤被膜である。
入力された信号を増幅する増幅素子であるパワートランジスタ４はプリント基板の表面１ａの領域内の切り欠き部の端面１ｃに埋め込み配置され、プリント基板１に合体されたパワートランジスタの放熱板３にネジ止めされている。パワートランジスタ４の電極４ａはプリント基板の表面１ａの増幅回路のパターン導体２に半田付け等により接続されている。
プリント基板の表面１ａには、基板表面からの吸湿を防ぐために防湿剤が塗布され形成された防湿剤被膜５ａが備えられている。
同様に、プリント基板の端面１ｂには、基板端面からの吸湿を防ぐために防湿剤が塗布され形成された防湿剤被膜５ｂが備えられている。
更に、プリント基板の切り欠き部の端面１ｃには、基板切り欠き部の端面からの吸湿を防ぐために防湿剤が塗布され形成された防湿剤被膜５ｃが備えられている。
これらの防湿剤被膜５ａ、５ｂ、５ｃによってプリント基板の全面からの吸湿を防ぐことができ、吸湿防止されたプリント基板はプリント基板固有にもつ誘電率の変動を抑えるものである。  
【００１１】
特に、移動通信システムに用いられる基地局用増幅装置に適用される広帯域高出力増幅器では２ＧＨｚのような高い無線周波数を用いて広帯域低雑音増幅させるために歪補償増幅回路がプリント基板上に構成されるような増幅回路では、プリント基板の切り欠き部の端面からの吸湿による当該増幅回路の入出力付近のプリント基板の誘電率変動即ちプリント基板回路の特性インピーダンスＺ０が大きく影響をうけることになり、基板切り欠き部の端面に施された防湿剤被膜５ｃの形成が有効である。
また、本発明の防湿剤被膜を備えることにより、プリント基板の腐食防止の効果が有することは言うまでもない。
【産業上の利用可能性】
【００１２】
本発明は、Ｗ−ＣＤＭＡ方式（広帯域符号分割多元接続方式）の移動通信システムに用いられる基地局用増幅装置に適用されて通信事業等に利用することができる。
【図面の簡単な説明】
【００１３】
【図１】本発明の増幅器のプリント基板の概観図である。
【図２】従来技術の増幅器のプリント基板の概観図である。
【図３】従来技術のプリント基板の特性を表わすための断面図である。
【符号の説明】
【００１４】
１  プリント基板
１ａ  プリント基板の表面
１ｂ  プリント基板の端面
１ｃ  プリント基板の切り欠き部の端面
２  増幅回路のパターン導体
３  パワートランジスタの放熱板
４  パワートランジスタ
４ａ  パワートランジスタの電極
５ａ、５ｂ、５ｃ  防湿剤被膜
【図１】
2005210174.tif 000004
【図２】
2005210174.tif 000005
【図３】
2005210174.tif 000006